【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
互いに関連した注目被写体をそれぞれ含む画像を複数記憶した記憶手段と、
この記憶手段に記憶した画像を択一的に表示する表示手段と、
上記記憶手段に記憶した画像から注目被写体の位置を検出する検出手段と、
上記記憶手段に記憶した１つの画像に対し、上記検出手段で検出した注目被写体の位置を中心に順次所定倍率まで拡大させながら上記表示手段で表示させる第１の表示制御手段と、
この第１の表示制御手段で表示させた画像の次に表示する画像を上記記憶手段から選択する画像選択手段と、
上記第１の表示制御手段で所定倍率まで拡大した状態から切り換えて、上記画像選択手段で選択した画像に対し上記検出手段で得た注目被写体を中心に所定倍率まで拡大した状態から順次縮小させながら上記表示手段で表示させる第２の表示制御手段と
を具備したことを特徴とする画像表示装置。
【請求項２】
複数種の注目被写体から１つを選択する被写体選択手段をさらに具備し、
上記第１及び第２の表示制御手段は、上記被写体選択手段で選択した注目被写体に基づいて上記表示手段で画像を表示させる
ことを特徴とする請求項１記載の画像表示装置。
【請求項３】
上記第１の表示制御手段により画像を表示し終えてから上記第２の表示制御手段により次の画像の表示を表示し始めるまでの間に、上記表示手段で切換用画像を表示させる第３の表示制御手段をさらに具備したことを特徴とする請求項１記載の画像表示装置。
【請求項４】
上記注目被写体は、所定色の所定領域範囲であることを特徴とする請求項１記載の画像表示装置。
【請求項５】
上記第２の表示制御手段で用いる注目被写体は、所定の方向性を持って画像の切換え毎に上記所定色を順次変化させることを特徴とする請求項４記載の画像表示装置。
【請求項６】
互いに関連した注目被写体をそれぞれ含む画像を複数記憶した記憶部と、この記憶手段に記憶した画像を択一的に表示する表示部とを備えた画像表示装置での画像表示方法であって、
上記記憶部に記憶した画像から注目被写体の位置を検出する検出工程と、
上記記憶部に記憶した１つの画像に対し、上記検出工程で検出した注目被写体の位置を中心に順次所定倍率まで拡大させながら上記表示部で表示させる第１の表示制御工程と、
この第１の表示制御工程で表示させた画像の次に表示する画像を上記記憶部から選択する画像選択工程と、
上記第１の表示制御工程で所定倍率まで拡大した状態から切り換えて、上記画像選択工程で選択した画像に対し、上記検出工程で得た注目被写体を中心に所定倍率まで拡大した状態から順次縮小させながら上記表示部で表示させる第２の表示制御工程と
を有したことを特徴とする画像表示方法。
【請求項７】
互いに関連した注目被写体をそれぞれ含む画像を複数記憶した記憶部と、この記憶手段に記憶した画像を択一的に表示する表示部とを備えた画像表示装置に内蔵されたコンピュータが実行するプログラムであって、
前記コンピュータに、
上記記憶部に記憶した画像から注目被写体の位置を検出する検出手順と、
上記記憶部に記憶した１つの画像に対し、上記検出手順で検出した注目被写体の位置を中心に順次所定倍率まで拡大させながら上記表示部で表示させる第１の表示制御手順と、
この第１の表示制御手順で表示させた画像の次に表示する画像を上記記憶部から選択する画像選択手順と、
上記第１の表示制御手順で所定倍率まで拡大した状態から切り換えて、上記画像選択手順で選択した画像に対し、上記検出手順で得た注目被写体を中心に所定倍率まで拡大した状態から順次縮小させながら上記表示部で表示させる第２の表示制御手順と
を実行させるためのプログラム。
【手続補正２】
【補正対象書類名】明細書
【補正対象項目名】０００６
【補正方法】変更
【補正の内容】
【０００６】
請求項１記載の発明は、互いに関連した注目被写体をそれぞれ含む画像を複数記憶した記憶手段と、この記憶手段に記憶した画像を択一的に表示する表示手段と、上記記憶手段に記憶した画像から注目被写体の位置を検出する検出手段と、上記記憶手段に記憶した１つの画像に対し、上記検出手段で検出した注目被写体の位置を中心に順次所定倍率まで拡大させながら上記表示手段で表示させる第１の表示制御手段と、この第１の表示制御手段で表示させた画像の次に表示する画像を上記記憶手段から選択する画像選択手段と、上記第１の表示制御手段で所定倍率まで拡大した状態から切り換えて、上記画像選択手段で選択した画像に対し上記検出手段で得た注目被写体を中心に所定倍率まで拡大した状態から、順次縮小させながら上記表示手段で表示させる第２の表示制御手段とを具備したことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
請求項４記載の発明は、上記請求項１記載の発明において、上記注目被写体は、所定色の所定領域範囲であることを特徴とする。
【手続補正９】
【補正対象書類名】明細書
【補正対象項目名】００１５
【補正方法】変更
【補正の内容】
【００１５】
請求項５記載の発明は、上記請求項４記載の発明において、上記第２の表示制御手段で用いる注目被写体は、所定の方向性を持って画像の切換え毎に上記所定色を順次変化させることを特徴とする。
【手続補正１０】
【補正対象書類名】明細書
【補正対象項目名】００１６
【補正方法】変更
【補正の内容】
【００１６】
請求項６記載の発明は、互いに関連した注目被写体をそれぞれ含む画像を複数記憶した記憶部と、この記憶手段に記憶した画像を択一的に表示する表示部とを備えた画像表示装置での画像表示方法であって、上記記憶部に記憶した画像から注目被写体の位置を検出する検出工程と、上記記憶部に記憶した１つの画像に対し、上記検出工程で検出した注目被写体の位置を中心に順次所定倍率まで拡大させながら上記表示部で表示させる第１の表示制御工程と、この第１の表示制御工程で表示させた画像の次に表示する画像を上記記憶部から選択する画像選択工程と、上記第１の表示制御工程で所定倍率まで拡大した状態から切り換えて、上記画像選択工程で選択した画像に対し、上記検出工程で得た注目被写体を中心に所定倍率まで拡大した状態から順次縮小させながら上記表示部で表示させる第２の表示制御工程とを有したことを特徴とする。
【手続補正１１】
【補正対象書類名】明細書
【補正対象項目名】００１７
【補正方法】変更
【補正の内容】
【００１７】
請求項７記載の発明は、互いに関連した注目被写体をそれぞれ含む画像を複数記憶した記憶部と、この記憶手段に記憶した画像を択一的に表示する表示部とを備えた画像表示装置に内蔵されたコンピュータが実行するプログラムであって、前記コンピュータに、上記記憶部に記憶した画像から注目被写体の位置を検出する検出手順と、上記記憶部に記憶した１つの画像に対し、上記検出手順で検出した注目被写体の位置を中心に順次所定倍率まで拡大させながら上記表示部で表示させる第１の表示制御手順と、この第１の表示制御手順で表示させた画像の次に表示する画像を上記記憶部から選択する画像選択手順と、上記第１の表示制御手順で所定倍率まで拡大した状態から切り換えて、上記画像選択手順で選択した画像に対し、上記検出手順で得た注目被写体を中心に所定倍率まで拡大した状態から順次縮小させながら上記表示部で表示させる第２の表示制御手順とを実行させるためのプログラムとする。